【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
媒体に液体を塗布するための塗布部材と、前記塗布部材に当接して形成される液体保持空間に液体を保持するための保持部材とを備え、前記塗布部材を回転させることにより、前記液体保持空間内の液体を前記塗布部材を介して前記媒体に塗布する液体塗布手段と、
前記塗布部材に前記媒体を接触させずに前記塗布部材を回転させるための回転手段と、
を備えることを特徴とする液体塗布装置。
【請求項２】
前記回転手段によって前記塗布部材を回転させることにより、前記塗布部材の表面が前記保持部材に突入する側における前記塗布部材と前記保持部材との当接部分よりも回転方向上流側の部分に、前記液体の溜まりを形成することを特徴とする請求項１記載の液体塗布装置。
【請求項３】
前記回転手段は、所定枚の前記媒体に前記液体を塗布する毎に、前記液体の溜まりを形成するための回転を行うことを特徴とする請求項２記載の液体塗布装置。
【請求項４】
前記回転手段は、一枚の前記媒体への塗布の前に、前記液体の溜まりを形成するための回転を行うことを特徴とする請求項２記載の液体塗布装置。
【請求項５】
前記回転手段は、前記液体が塗布された媒体の数が閾値に達すると、前記液体の溜まりを形成するための回転を行うことを特徴とする請求項２記載の液体塗布装置。
【請求項６】
前記回転手段は、前記液体を塗布すべき媒体の数に関する情報に基づいて、前記数に応じた量の液体の溜まりを形成するための回転を行うことを特徴とする請求項２記載の液体塗布装置。
【請求項７】
媒体に液体を塗布するための塗布部材と、前記塗布部材に当接して形成される液体保持空間に液体を保持するための保持部材とを備え、前記塗布部材を回転させることにより、前記液体保持空間内の液体を前記塗布部材を介して前記媒体に塗布する液体塗布手段と、
前記塗布部材に前記媒体を接触させずに前記塗布部材を回転させるための回転手段とを備え、
前記回転手段により前記塗布部材を回転させることによって、前記塗布部材の表面が前記保持部材に突入する側における前記塗布部材と前記保持部材との当接部分よりも回転方向上流側の部分であって、前記媒体と前記塗布部材との当接部分よりも回転方向下流側の部分に、前記液体を溜めることを特徴とする液体塗布装置。
【請求項８】
媒体に液体を塗布する塗布ローラと、
前記塗布ローラに当接して形成される液体保持空間に液体を保持するための保持部材と、
前記塗布ローラに対向して配置される対向ローラと、
前記塗布ローラを回転させることにより、前記塗布ローラと前記対向ローラとのニップ部で狭持される媒体に対して、前記液体保持空間に保持される液体を前記塗布ローラを介して塗布する液体塗布手段と、
所定の塗布の前に、前記塗布ローラと前記保持部材との当接部分よりも回転方向上流側に位置し、且つ前記ニップ部よりも回転方向下流側に位置する部分に、前記液体の溜まりを形成するための手段と、
を備えることを特徴とする液体塗布装置。
【請求項９】
請求項１乃至８のいずれかに記載の液体塗布装置と、
前記液体塗布装置により前記液体が塗布された媒体に対して、記録ヘッドからインクを吐出して前記媒体に画像を記録する記録手段と、
を備えることを特徴とするインクジェット記録装置。
【請求項１０】
インクと反応する反応液を記録媒体に塗布するための塗布ローラと、前記塗布ローラに当接して形成される液体保持空間に反応液を保持するための保持部材とを備え、前記塗布ローラを回転させることにより、前記液体保持空間内の反応液を前記塗布ローラを介して前記記録媒体に塗布する液体塗布手段と、
前記液体塗布手段により前記反応液が塗布された記録媒体に対してインクを吐出するためのインクジェットヘッドと、
前記塗布ローラに前記記録媒体を接触させずに前記塗布ローラを回転させることにより、前記塗布ローラの表面が前記保持部材に突入する側における前記塗布ローラと前記保持部材との当接部分よりも回転方向上流側の部分に、前記反応液の溜まりを形成するための手段と、
を有することを特徴とするインクジェット記録装置。
【請求項１１】
前記反応液は、前記インク中の色材を不溶化あるいは凝集させるための成分を含有することを特徴とする請求項１０に記載のインクジェット記録装置。
【手続補正２】
【補正対象書類名】明細書
【補正対象項目名】００１０
【補正方法】変更
【補正の内容】
【００１０】
このような目的を達成するために、本発明は、液体塗布装置であって、媒体に液体を塗布するための塗布部材と、前記塗布部材に当接して形成される液体保持空間に液体を保持するための保持部材とを備え、前記塗布部材を回転させることにより、前記液体保持空間内の液体を前記塗布部材を介して前記媒体に塗布する液体塗布手段と、前記塗布部材に前記媒体を接触させずに前記塗布部材を回転させるための回転手段と、を備えることを特徴とする。
【手続補正３】
【補正対象書類名】明細書
【補正対象項目名】００１１
【補正方法】変更
【補正の内容】
【００１１】
また、本発明は、液体塗布装置であって、媒体に液体を塗布するための塗布部材と、前記塗布部材に当接して形成される液体保持空間に液体を保持するための保持部材とを備え、前記塗布部材を回転させることにより、前記液体保持空間内の液体を前記塗布部材を介して前記媒体に塗布する液体塗布手段と、前記塗布部材に前記媒体を接触させずに前記塗布部材を回転させるための回転手段とを備え、前記回転手段により前記塗布部材を回転させることによって、前記塗布部材の表面が前記保持部材に突入する側における前記塗布部材と前記保持部材との当接部分よりも回転方向上流側の部分であって、前記媒体と前記塗布部材との当接部分よりも回転方向下流側の部分に、前記液体を溜めることを特徴とする。
【手続補正４】
【補正対象書類名】明細書
【補正対象項目名】００１２
【補正方法】変更
【補正の内容】
【００１２】
また、本発明は、液体塗布装置であって、媒体に液体を塗布する塗布ローラと、前記塗布ローラに当接して形成される液体保持空間に液体を保持するための保持部材と、前記塗布ローラに対向して配置される対向ローラと、前記塗布ローラを回転させることにより、前記塗布ローラと前記対向ローラとのニップ部で狭持される媒体に対して、前記液体保持空間に保持される液体を前記塗布ローラを介して塗布する液体塗布手段と、所定の塗布の前に、前記塗布ローラと前記保持部材との当接部分よりも回転方向上流側に位置し、且つ前記ニップ部よりも回転方向下流側に位置する部分に、前記液体の溜まりを形成するための手段と、を備えることを特徴とする。
【手続補正５】
【補正対象書類名】明細書
【補正対象項目名】００１３
【補正方法】変更
【補正の内容】
【００１３】
また、本発明は、インクジェット記録装置であって、請求項１乃至８のいずれかに記載の液体塗布装置と、前記液体塗布装置により前記液体が塗布された媒体に対して、記録ヘッドからインクを吐出して前記媒体に画像を記録する記録手段と、を備えることを特徴とする。
【手続補正６】
【補正対象書類名】明細書
【補正対象項目名】００１４
【補正方法】変更
【補正の内容】
【００１４】
また、本発明は、インクジェット記録装置であって、インクと反応する反応液を記録媒体に塗布するための塗布ローラと、前記塗布ローラに当接して形成される液体保持空間に反応液を保持するための保持部材とを備え、前記塗布ローラを回転させることにより、前記液体保持空間内の反応液を前記塗布ローラを介して前記記録媒体に塗布する液体塗布手段と、前記液体塗布手段により前記反応液が塗布された記録媒体に対してインクを吐出するためのインクジェットヘッドと、前記塗布ローラに前記記録媒体を接触させずに前記塗布ローラを回転させることにより、前記塗布ローラの表面が前記保持部材に突入する側における前記塗布ローラと前記保持部材との当接部分よりも回転方向上流側の部分に、前記反応液の溜まりを形成するための手段と、を有することを特徴とする。
【手続補正７】
【補正対象書類名】明細書
【補正対象項目名】００１５
【補正方法】削除
【補正の内容】